(57)【要約】【課題】ユーザが、店舗が提供するアプリケーションを効率的に取得でき、店舗においてもアプリケーションを通じての販売促進を図るためのアプリケーション管理システム、アプリケーション管理方法及びアプリケーション管理プログラムを提供する。【解決手段】ユーザ端末１０は、ユーザに対して特典を提供するアプリケーションを記録する端末記憶部１２と、現在地情報を取得する位置情報取得部１６に接続される制御部１１とを備える。制御部２１が、位置情報取得部１６からユーザ端末の所在地を取得し、所在地から基準範囲内の店舗を特定し、店舗において提供されているアプリケーションを特定し、ユーザ端末１０に前記アプリケーションがインストールされていない場合には、アプリケーションのインストールを促すメッセージを出力する。【選択図】図１
2017182136.tif 000002
【特許請求の範囲】
【請求項１】
ユーザに対して特典を提供するアプリケーションを記録するアプリケーション記憶部と、
現在地情報を取得する位置情報取得部に接続される制御部とを備えたアプリケーション管理システムであって、
前記制御部が、
前記位置情報取得部からユーザ端末の所在地を取得し、
前記所在地から基準範囲内の店舗を特定し、
前記店舗において提供されているアプリケーションを特定し、
前記ユーザ端末に前記アプリケーションがインストールされていない場合には、前記アプリケーションのインストールを促すメッセージを出力することを特徴とするアプリケーション管理システム。
【請求項２】
前記メッセージに対応して、ダウンロード指示が入力された場合、前記制御部が、前記アプリケーションをアプリケーション管理サイトからダウンロードすることを特徴とする請求項１に記載のアプリケーション管理システム。
【請求項３】
前記店舗において提供されているアプリケーションがインストール済みの場合には、前記制御部が、前記アプリケーションを起動し、前記店舗における特典情報を取得して出力することを特徴とする請求項１又は２に記載のアプリケーション管理システム。
【請求項４】
前記所在地から基準範囲内の店舗を表示した地図を前記ユーザ端末において出力し、前記ユーザ端末の地図上で選択された店舗において提供されているアプリケーションを特定することを特徴とする請求項１〜３の何れか一項に記載のアプリケーション管理システム。
【請求項５】
ユーザに対して特典を提供するアプリケーションを記録するアプリケーション記憶部と、
現在地情報を取得する位置情報取得部に接続される制御部とを備えたアプリケーション管理システムを用いて、アプリケーション管理を行なうための方法であって、
前記制御部が、
前記位置情報取得部からユーザ端末の所在地を取得し、
前記所在地から基準範囲内の店舗を特定し、
前記店舗において提供されているアプリケーションを特定し、
前記ユーザ端末に前記アプリケーションがインストールされていない場合には、前記アプリケーションのインストールを促すメッセージを出力することを特徴とするアプリケーション管理方法。
【請求項６】
ユーザに対して特典を提供するアプリケーションを記録するアプリケーション記憶部と、
現在地情報を取得する位置情報取得部に接続される制御部とを備えたアプリケーション管理システムを用いて、アプリケーション管理を行なうためのプログラムであって、
前記制御部を、
前記位置情報取得部からユーザ端末の所在地を取得し、
前記所在地から基準範囲内の店舗を特定し、
前記店舗において提供されているアプリケーションを特定し、
前記ユーザ端末に前記アプリケーションがインストールされていない場合には、前記アプリケーションのインストールを促すメッセージを出力する手段として機能させることを特徴とするアプリケーション管理プログラム。
【発明の詳細な説明】
【技術分野】
【０００１】
本発明は、ユーザに対して特典を付与するためのアプリケーションの提供を管理するためのアプリケーション管理システム、アプリケーション管理方法及びアプリケーション管理プログラムに関する。
【背景技術】
【０００２】
スマートフォン等のような携帯可能なコンピュータ端末を用いて、各種情報を出力することができる。このような携帯端末には、ＧＰＳ等を利用して、位置情報を取得できるものもある。そこで、利用者が、所望の場所に関する情報を効率的に提供するための場所情報提供方法も検討されている（例えば、特許文献１）。この文献に記載された技術においては、利用者は、自分が行きたい店舗の店舗識別子を入力し、この情報を携帯電話端末から管理コンピュータに送信する。管理コンピュータは、受信した店舗識別子及び送信した携帯電話端末のメールアドレスに基づいて店舗情報記憶部に記憶する。情報管理システムは、携帯電話端末から送信される信号に基づいて、利用者の位置情報を定期的に取得し、利用者の現在位置から所定範囲にある店舗を抽出し、この店舗の情報を携帯電話端末に送信する。
【０００３】
また、携帯情報端末をメンバーズ会員証として利用するための技術も検討されている（例えば、特許文献２）。この文献に記載された技術においては、顧客の所有する携帯情報端末から、販売管理組織の管理するウエブサーバにアクセスしてアプリケーションプログラムをダウンロードできるようにする。そして、アプリケーションプログラムに会員バーコードを表示する機能を備え、店舗に備えたバーコードリーダにより携帯情報端末のディスプレイに表示した会員バーコードを読み取って、会員認証を行なう。更に、アプリケーションプログラムで、販促情報を携帯情報端末のディスプレイに表示する。
【先行技術文献】
【特許文献】
【０００４】
【特許文献１】特開２００５−６５１１７号公報
【特許文献２】特開２００４−１１００８５号公報
【発明の概要】
【発明が解決しようとする課題】
【０００５】
しかしながら、各店舗において、特典を取得可能なアプリケーションプログラムが提供されていることに気がつかないことがある。また、アプリケーションプログラムが提供されていることを知っている場合にも、ダウンロードに手間がかかり、アプリケーションプログラムの導入が円滑に行なわれない場合もある。また、その店舗は提供しているアプリケーションプログラムを所有していた場合にも、アプリケーションの起動を失念し、特典を受けられない場合もある。
【０００６】
本発明は、上記問題点を解決するためになされたものであり、ユーザが、店舗が提供するアプリケーションを効率的に取得でき、店舗においてもアプリケーションを通じての販売促進を図るためのアプリケーション管理システム、アプリケーション管理方法及びアプリケーション管理プログラムを提供することにある。
【課題を解決するための手段】
【０００７】
・上記課題を解決するアプリケーション管理システムでは、ユーザに対して特典を提供するアプリケーションを記録するアプリケーション記憶部と、現在地情報を取得する位置情報取得部に接続される制御部とを備える。そして、前記制御部が、前記位置情報取得部からユーザ端末の所在地を取得し、前記所在地から基準範囲内の店舗を特定し、前記店舗において提供されているアプリケーションを特定し、前記ユーザ端末に前記アプリケーションがインストールされていない場合には、前記アプリケーションのインストールを促すメッセージを出力する。これにより、ユーザ端末の現在位置にも閉じて、ユーザに対して特典を提供するアプリケーションを提供することができる。
【０００８】
・上記アプリケーション管理システムにおいて、前記メッセージに対応して、ダウンロード指示が入力された場合、前記制御部が、前記アプリケーションをアプリケーション管理サイトからダウンロードすることが好ましい。これにより、ユーザは、特典を享受できるアプリケーションを入手することができる。
【０００９】
・上記アプリケーション管理システムにおいて、前記店舗において提供されているアプリケーションがインストール済みの場合には、前記制御部が、前記アプリケーションを起動し、前記店舗における特典情報を取得して出力することが好ましい。これにより、ユーザは効率的にアプリケーションを起動させることができる。
・上記アプリケーション管理システムにおいて、前記所在地から基準範囲内の店舗を表示した地図をユーザ端末において出力し、前記ユーザ端末の地図上で選択された店舗において提供されているアプリケーションを特定することが好ましい。これにより、現在位置周辺の店舗において提供されているアプリケーションをダウンロードすることができる。
【発明の効果】
【００１０】
本発明によれば、ユーザは、店舗が提供するアプリケーションを効率的に取得できる。更に、店舗においても、ユーザに対して、アプリケーションを提供し、販売促進等を図ることができる。
【図面の簡単な説明】
【００１１】
【図１】本実施形態のアプリケーション管理システムの説明図。
【図２】本実施形態の情報記憶部の説明図であって、（ａ）は端末記憶部、（ｂ）は地図記憶部、（ｃ）は店舗情報記憶部、（ｄ）はアプリケーション記憶部の説明図。
【図３】本実施形態の処理手順の説明図。
【発明を実施するための形態】
【００１２】
以下、アプリケーション管理システム、アプリケーション管理方法及びアプリケーション管理プログラムを具体化した一実施形態を、図１、図２に従って説明する。本実施形態では、ユーザ端末に格納された店舗アプリケーション（アプリケーションプログラム）を起動して、訪問した店舗が提供するサービスを利用する場合を想定する。
【００１３】
ここでは、図１に示すように、ネットワークを介して接続されたユーザ端末１０及び管理サーバ２０を用いる。
ユーザ端末１０は、各店舗を訪問するユーザが用いるコンピュータ端末である。ユーザ端末１０は、ネットワークを介して管理サーバ２０と接続される。
【００１４】
このユーザ端末１０は、制御部１１、端末記憶部１２、地図記憶部１３、タッチパネルディスプレイ１５、位置情報取得部１６を備えている。本実施形態では、ユーザ端末１０がアプリケーション管理システムとして機能する。
図２（ａ）に示すように、端末記憶部１２には、各店舗で利用可能な店舗アプリケーションが格納されている。この店舗アプリケーションには、各アプリケーションを識別するための店舗アプリＩＤに関するデータが付与されている。更に、端末記憶部１２には、これらの店舗アプリケーションを管理するための管理アプリケーションも格納されている。
【００１５】
図２（ｂ）に示すように、地図記憶部１３には、地図データが格納されている。この地図データには、経度・緯度に対して、各店舗の所在地が記録されている。この所在地には、各店舗を識別するための店舗ＩＤが記録されている。
【００１６】
タッチパネルディスプレイ１５は、出力手段及び入力手段として機能する。具体的には、パネル上に情報を出力するとともに、画面に触れる操作（タッチ）、画面から指を離す操作（リリース）、画面に触れた状態で指を滑らせる操作（スワイプ）等のタッチ状況に応じた各種機能アイコンの操作等を行なうことができる。
【００１７】
位置情報取得部１６は、ユーザ端末１０の所在地を特定する処理を実行する。例えば、ＧＰＳ（Global Positioning System）機能を利用して、経度・緯度情報を取得する。
制御部１１は、制御手段（ＣＰＵ、ＲＡＭ、ＲＯＭ等）を備え、後述する処理（位置特定段階、アプリ管理段階等の各処理等）を行なう。そのための管理プログラムを実行することにより、制御部２１は、図１に示すように、アプリ実行部１１１、アプリ管理部１１２として機能する。
【００１８】
アプリ実行部１１１は、端末記憶部１２に格納された各アプリケーションの起動を管理する処理を実行する。
アプリ管理部１１２は、管理アプリケーションにより起動され、店舗において特典（本実施形態では、クーポン）を提供する店舗アプリケーションの登録を管理する処理を実行する。
【００１９】
管理サーバ２０は、ユーザ端末１０に対して、店舗アプリケーションを管理するコンピュータシステムである。この管理サーバ２０は、制御部２１、店舗情報記憶部２２、アプリケーション記憶部２３を備えている。
【００２０】
図２（ｃ）に示すように、店舗情報記憶部２２には、店舗アプリケーションを提供する店舗に関する店舗管理レコード２２０が記録される。この店舗管理レコード２２０は、店舗アプリケーションを提供する店舗の登録が行なわれた場合に記録される。この店舗管理レコード２２０には、店舗ＩＤ、店舗名称、所在位置、店舗アプリＩＤに関するデータが記録される。
【００２１】
店舗ＩＤデータ領域には、各店舗を特定するための識別子に関するデータが記録される。
店舗名称データ領域には、この店舗の名称に関するデータが記録される。
所在位置データ領域には、この店舗の所在地に関するデータが記録される。本実施形態では、この店舗が所在する住所や、経度・緯度に関するデータが記録される。
【００２２】
店舗アプリＩＤデータ領域には、この店舗において利用可能な店舗アプリケーションを特定するための識別子に関するデータが記録される。なお、店舗アプリケーションが提供されていない場合には、このデータ領域は空欄となっている。
【００２３】
図２（ｄ）に示すように、アプリケーション記憶部２３には、各ユーザ端末１０に対して提供される店舗アプリケーションが記録される。本実施形態では、アプリケーション記憶部２３は、アプリケーション管理サイトとして機能する。この店舗アプリケーションは、ユーザに提供するアプリケーションが登録された場合に記録される。この店舗アプリケーションには、店舗アプリＩＤが付与されている。
【００２４】
次に、このアプリケーション管理システムにおける処理手順を、図３を用いて説明する。店舗を訪問したユーザは、ユーザ端末１０において、管理アプリケーションを起動させる。
【００２５】
まず、ユーザ端末１０の制御部１１は、管理アプリケーションの起動処理を実行する（ステップＳ１−１）。具体的には、制御部１１のアプリ実行部１１１は、タッチパネルディスプレイ１５に、端末記憶部１２に格納された管理アプリケーションを起動させるためのアイコンを出力する。ここで、アプリ管理アプリケーションのアイコンを選択する。この場合、アプリ実行部１１１は、アプリ管理部１１２を起動させる。
【００２６】
次に、ユーザ端末１０の制御部１１は、位置情報の取得処理を実行する（ステップＳ１−２）。具体的には、制御部１１のアプリ管理部１１２は、位置情報取得部１６から、ユーザ端末１０の所在地についての現在位置情報を取得する。
【００２７】
次に、ユーザ端末１０の制御部１１は、店舗の特定処理を実行する（ステップＳ１−３）。具体的には、制御部１１のアプリ管理部１１２は、地図記憶部１３を用いて、位置情報取得部１６から取得した現在位置情報に対応する店舗を特定する。ここでは、現在位置から基準範囲（例えば１０ｍ）内に存在する店舗を訪問店舗として特定する。
【００２８】
次に、ユーザ端末１０の制御部１１は、店舗アプリケーションの検索処理を実行する（ステップＳ１−４）。具体的には、制御部１１のアプリ管理部１１２は、アプリ検索要求を管理サーバ２０に送信する。このアプリ検索要求には、位置情報に対応する店舗（訪問店舗）の店舗ＩＤに関するデータを含める。
【００２９】
アプリ検索要求を取得した管理サーバ２０の制御部２１は、店舗情報記憶部２２を用いて、店舗ＩＤに関連付けられた店舗管理レコード２２０を抽出する。そして、制御部２１は、抽出した店舗管理レコード２２０を用いて、店舗アプリケーションの有無を確認する。店舗管理レコード２２０に店舗アプリＩＤが記録されていない場合には、制御部２１は、「アプリ無し」フラグを含めたアプリ検索応答を生成する。一方、店舗管理レコード２２０に店舗アプリＩＤが記録されている場合には、制御部２１は、店舗アプリＩＤを含めたアプリ検索応答を生成する。そして、制御部２１は、アプリ検索応答をユーザ端末１０に返信する。
【００３０】
次に、ユーザ端末１０の制御部１１は、店舗アプリケーションがあるかどうかについての判定処理を実行する（ステップＳ１−５）。具体的には、制御部１１のアプリ管理部１１２は、管理サーバ２０から受信したアプリ検索応答に基づいて判定する。「アプリ無し」フラグを含めたアプリ検索応答を受信した場合には、提供アプリがないと判定する。一方、店舗アプリＩＤを含めたアプリ検索応答を受信した場合には、提供アプリがあると判定する。
【００３１】
店舗アプリケーションがないと判定した場合（ステップＳ１−５において「ＮＯ」の場合）、ユーザ端末１０は、アプリ管理処理を終了する。
一方、店舗アプリケーションがあると判定した場合（ステップＳ１−５において「ＹＥＳ」の場合）、ユーザ端末１０の制御部１１は、インストール済みかどうかについての判定処理を実行する（ステップＳ１−６）。具体的には、制御部１１のアプリ管理部１１２は、アプリ検索応答に含まれる店舗アプリＩＤに関連付けられた店舗アプリケーションを、端末記憶部１２において検索する。このような店舗アプリケーションが端末記憶部１２に格納されている場合には、インストール済みと判定する。一方、このような店舗アプリケーションを端末記憶部１２において特定できない場合には、インストール済みでないと判定する。
【００３２】
インストール済みと判定した場合（ステップＳ１−６において「ＹＥＳ」の場合）、ユーザ端末１０の制御部１１は、店舗アプリケーションの起動処理を実行する（ステップＳ１−７）。具体的には、アプリ管理部１１２は、アプリ実行部１１１に対して、店舗アプリケーションの起動を指示する。
【００３３】
次に、ユーザ端末１０の制御部１１は、クーポンがあるかどうかについての判定処理を実行する（ステップＳ１−８）。具体的には、制御部１１のアプリ実行部１１１は、店舗アプリケーションにより、クーポンの有無を確認する。店舗アプリケーションにより、クーポン情報を取得できた場合には、クーポンがあると判定する。
【００３４】
クーポンがないと判定した場合（ステップＳ１−８において「ＮＯ」の場合）、ユーザ端末１０は、アプリ管理処理を終了する。
一方、クーポンがあると判定した場合（ステップＳ１−８において「ＹＥＳ」の場合）、ユーザ端末１０の制御部１１は、クーポンの表示処理を実行する（ステップＳ１−９）。具体的には、制御部１１のアプリ実行部１１１は、店舗アプリケーションにより取得したクーポン情報を、タッチパネルディスプレイ１５に出力する。
【００３５】
一方、インストール済みでないと判定した場合（ステップＳ１−６において「ＮＯ」の場合）、ユーザ端末１０の制御部１１は、店舗アプリケーションの表示処理を実行する（ステップＳ１−１０）。具体的には、制御部１１のアプリ管理部１１２は、タッチパネルディスプレイ１５に、アプリ検索応答に含まれる店舗アプリＩＤを表示する。
【００３６】
そして、タッチパネルディスプレイ１５において、店舗アプリケーションのダウンロードが選択された場合、ユーザ端末１０の制御部１１は、店舗アプリケーションのダウンロード処理を実行する（ステップＳ１−１１）。具体的には、制御部１１のアプリ管理部１１２は、管理サーバ２０にダウンロード要求を送信する。このダウンロード要求には、指示された店舗アプリＩＤに関するデータを含める。ダウンロード要求を受信した管理サーバ２０の制御部２１は、アプリケーション記憶部２３に記録されている店舗アプリケーションを、ユーザ端末１０に送信する。
【００３７】
制御部１１のアプリ管理部１１２は、管理サーバ２０から受信した店舗アプリケーションを、端末記憶部１２に格納する。
そして、ユーザ端末１０の制御部１１は、店舗アプリケーションの起動処理を実行する（ステップＳ１−７）。
【００３８】
以上、本実施形態によれば、以下に示す効果を得ることができる。
（１）上記実施形態では、ユーザ端末１０の制御部１１は、管理アプリケーションの起動処理（ステップＳ１−１）、位置情報の取得処理（ステップＳ１−２）、店舗の特定処理（ステップＳ１−３）、店舗提供アプリの検索処理（ステップＳ１−４）を実行する。これにより、ユーザの現在位置に基づいて、利用可能なアプリケーションを特定することができる。
【００３９】
（２）上記実施形態では、店舗アプリケーションがあると判定し、インストール済みと判定した場合（ステップＳ１−５、Ｓ１−６において「ＹＥＳ」の場合）、ユーザ端末１０の制御部１１は、店舗アプリケーションの起動処理を実行する（ステップＳ１−７）。これにより、ユーザの現在位置に基づいて、利用可能なアプリケーションを起動させることができる。従って、ユーザは、店舗で提供されている特典を効率的に取得することができる。
【００４０】
（３）上記実施形態では、インストール済みでないと判定した場合（ステップＳ１−６において「ＮＯ」の場合）、ユーザ端末１０の制御部１１は、店舗アプリケーションの表示処理を実行する（ステップＳ１−１０）。そして、ユーザ端末１０の制御部１１は、店舗アプリケーションのダウンロード処理を実行する（ステップＳ１−１１）。これにより、ユーザの現在位置に基づいて、利用可能なアプリケーションを効率的に取得することができる。
【００４１】
（４）上記実施形態では、クーポンがあると判定した場合（ステップＳ１−８において「ＹＥＳ」の場合）、ユーザ端末１０の制御部１１は、クーポンの表示処理を実行する（ステップＳ１−９）。これにより、ユーザは、店舗によって提供されている特典を享受することができる。
【００４２】
なお、上記実施形態は、以下の態様に変更してもよい。
・上記実施形態では、ユーザ端末１０及び管理サーバ２０を用いる。ハードウェア構成は、サーバ・クライアント方式に限定されるものではない。例えば、店舗情報記憶部２２を、ユーザ端末１０に設けて、ユーザ端末１０の制御部１１が店舗アプリケーションの有無を判定するようにしてもよい。
【００４３】
・上記実施形態では、ユーザ端末１０の制御部１１は、クーポンがあるかどうかについての判定処理を実行する（ステップＳ１−８）。クーポンがあると判定した場合（ステップＳ１−８において「ＹＥＳ」の場合）、ユーザ端末１０の制御部１１は、クーポンの表示処理を実行する（ステップＳ１−９）。ここで、ユーザに提供される特典はクーポンに限定されるものではない。例えば、店舗アプリケーションにおいて、会員登録されたユーザの会員証をタッチパネルディスプレイ１５に出力したり、この店舗において利用できるポイントを出力したりするようにしてもよい。
【００４４】
・上記実施形態では、位置情報取得部１６は、ユーザ端末１０の所在地を特定する処理を実行する。ここでは、ＧＰＳ機能を利用して、経度・緯度情報を取得する。ユーザ端末１０の現在位置を特定する方法はＧＰＳに限定されるものではない。例えば、無線通信（例えば、Ｗｉ−Ｆｉ（登録商標））の基地局に基づいて、所在地を特定するようにしてもよい。
【００４５】
・上記実施形態では、インストール済みでないと判定した場合（ステップＳ１−６において「ＮＯ」の場合）、ユーザ端末１０の制御部１１は、店舗アプリケーションの表示処理を実行する（ステップＳ１−１０）。ここで、アプリケーションの種類に応じて、表示方法を変更するようにしてもよい。例えば、会員証アプリケーションやクーポン提供、ゲーム等のように、店舗アプリケーションの種類を、アプリケーション記憶部２３に記録しておく。そして、ユーザ端末１０には、ダウンロード対象のアプリケーションの種類に関するデータを保持させておく。これにより、ユーザが所望する種類のアプリケーションをダウンロードすることができる。
【００４６】
・上記実施形態では、インストール済みでないと判定した場合（ステップＳ１−６において「ＮＯ」の場合）、ユーザ端末１０の制御部１１は、店舗アプリケーションの表示処理を実行する（ステップＳ１−１０）。ここで、ユーザがアプリケーションのダウンロードを希望しない場合には、再度、店舗アプリケーションの表示を行なわないようにしてもよい。この場合には、ユーザ端末１０のアプリ管理部１１２に、ダウンロード不要リストを保持させておく。このダウンロード不要リストには、店舗アプリケーションの表示処理（ステップＳ１−１０）において、ダウンロード不要が選択された場合に、この店舗アプリケーションの店舗アプリＩＤを記録しておく。そして、ダウンロード不要リストに記録されている店舗に訪問した場合にも、アプリケーション管理処理を終了する。
【００４７】
・上記実施形態では、ユーザ端末１０の制御部１１は、店舗アプリケーションのダウンロード処理を実行する（ステップＳ１−１１）。ここで、店舗アプリケーションのダウンロード方法は、管理サーバ２０による送信に限定されるものではない。例えば、店頭に設置された店頭端末に誘導し、この店頭端末からアプリケーション管理サイトのＵＲＬを取得するようにしてもよい。また、店頭端末から、近距離無線通信等により、ダウンロードできるようにしてもよい。
【００４８】
・上記実施形態では、ユーザ端末１０の制御部１１は、店舗の特定処理を実行する（ステップＳ１−３）。ここでは、現在位置情報に対応する訪問店舗を特定する。これに代えて、現在位置の周辺地域に存在する複数の店舗を特定するようにしてもよい。この場合、ユーザ端末１０の制御部１１は、現在位置情報を含めたアプリ検索要求を管理サーバ２０に送信する。アプリ検索要求を受信した管理サーバ２０の制御部２１は、店舗情報記憶部２２を用いて、現在位置の基準範囲（例えば１００ｍ）内に存在する店舗であって、店舗アプリＩＤが記録されている店舗管理レコード２２０を抽出する。そして、制御部２１は、抽出した店舗管理レコード２２０の店舗アプリＩＤ、店舗所在地に関するデータを含めたアプリ検索応答をユーザ端末１０に返信する。
【００４９】
アプリ検索応答を受信したユーザ端末１０は、地図記憶部１３から、現在位置を含めた地図を取得し、タッチパネルディスプレイ１５に出力する。この地図には、アプリ検索応答の店舗所在地に対応する位置に、店舗アプリケーションを提供する店舗の情報（アイコン）を表示する。このアイコンには、店舗アプリＩＤに関するデータを含める。
【００５０】
更に、ユーザ端末１０の制御部１１は、地図上に表示された各店舗が提供する店舗アプリケーションについて、インストール済みかどうかについての判定処理を実行する（ステップＳ１−６）。そして、インストール済み又は未済を識別できる情報を、地図上のマーカに含める。この場合、ユーザは、地図上において、所望のアイコンを選択する。ユーザ端末１０の制御部１１は、選択されたアイコンの店舗アプリケーションがインストール済みと判定した場合、この店舗アプリケーションの起動処理を実行する（ステップＳ１−７）。一方、ユーザ端末１０の制御部１１は、選択されたアイコンの店舗アプリケーションがインストール済みでないと判定した場合、この店舗アプリケーションのダウンロード処理を実行する（ステップＳ１−１１）。
【符号の説明】
【００５１】
１０…ユーザ端末、１１…制御部、１１１…アプリ実行部、１１２…アプリ管理部、１２…端末記憶部、１３…地図記憶部、１５…タッチパネルディスプレイ、１６…位置情報取得部、２０…管理サーバ、２１…制御部、２２…店舗情報記憶部、２３…アプリケーション記憶部。
【図１】
2017182136.tif 000003
【図２】
2017182136.tif 000004
【図３】
2017182136.tif 000005
【手続補正書】
【提出日】平成29年7月24日(2017.7.24)
【手続補正１】
【補正対象書類名】特許請求の範囲
【補正対象項目名】請求項１
【補正方法】変更
【補正の内容】
【請求項１】
現在地情報を取得する位置情報取得部、ダウンロード不要リスト及びダウンロード対象のアプリケーションの種類を保持する制御部と、出力部とを備えたユーザ端末と、
前記ユーザ端末にインストールされ、ユーザに対して特典を提供するアプリケーションを記録するアプリケーション記憶部とを含むアプリケーション管理システムであって、
前記制御部が、
前記位置情報取得部からユーザ端末の所在地を取得し、
前記所在地から基準範囲内の店舗を特定し、
前記店舗において提供されているアプリケーションを特定し、
前記ユーザ端末に、ダウンロード対象のアプリケーションの種類に合うアプリケーションであって、ダウンロード不要リストに含まれないアプリケーションがインストールされていない場合には、前記アプリケーション記憶部に記憶された前記アプリケーションのインストールを促すメッセージを前記出力部に出力し、ダウンロード不要が選択された場合に、前記アプリケーションをダウンロード不要リストに記録することを特徴とするアプリケーション管理システム。
【手続補正２】
【補正対象書類名】特許請求の範囲
【補正対象項目名】請求項２
【補正方法】変更
【補正の内容】
【請求項２】
前記メッセージに対応して、ダウンロード指示が入力された場合、前記制御部が、前記アプリケーションを前記アプリケーション記憶部からダウンロードすることを特徴とする請求項１に記載のアプリケーション管理システム。
【手続補正３】
【補正対象書類名】特許請求の範囲
【補正対象項目名】請求項５
【補正方法】変更
【補正の内容】
【請求項５】
現在地情報を取得する位置情報取得部、ダウンロード不要リスト及びダウンロード対象
のアプリケーションの種類を保持する制御部と、出力部とを備えたユーザ端末と、
前記ユーザ端末にインストールされ、ユーザに対して特典を提供するアプリケーションを記録するアプリケーション記憶部とを含むアプリケーション管理システムを用いて、アプリケーション管理を行なうための方法であって、
前記制御部が、前記位置情報取得部からユーザ端末の所在地を取得し、
前記制御部が、前記所在地から基準範囲内の店舗を特定し、
前記制御部が、前記店舗において提供されているアプリケーションを特定し、
前記制御部が、前記ユーザ端末に、ダウンロード対象のアプリケーションの種類に合うアプリケーションであって、ダウンロード不要リストに含まれないアプリケーションがインストールされていない場合には、前記アプリケーション記憶部に記憶された前記アプリケーションのインストールを促すメッセージを前記出力部に出力し、ダウンロード不要が選択された場合に、前記アプリケーションをダウンロード不要リストに記録することを特徴とするアプリケーション管理方法。
【手続補正４】
【補正対象書類名】特許請求の範囲
【補正対象項目名】請求項６
【補正方法】変更
【補正の内容】
【請求項６】
現在地情報を取得する位置情報取得部、ダウンロード不要リスト及びダウンロード対象のアプリケーションの種類を保持する制御部と、出力部とを備えたユーザ端末と、
前記ユーザ端末にインストールされ、ユーザに対して特典を提供するアプリケーションを記録するアプリケーション記憶部とを含むアプリケーション管理システムを用いて、アプリケーション管理を行なうためのプログラムであって、
前記制御部を、
前記位置情報取得部からユーザ端末の所在地を取得し、
前記所在地から基準範囲内の店舗を特定し、
前記店舗において提供されているアプリケーションを特定し、
前記ユーザ端末に、ダウンロード対象のアプリケーションの種類に合うアプリケーションであって、ダウンロード不要リストに含まれないアプリケーションがインストールされていない場合には、前記アプリケーション記憶部に記憶された前記アプリケーションのインストールを促すメッセージを前記出力部に出力し、ダウンロード不要が選択された場合に、前記アプリケーションをダウンロード不要リストに記録する手段として機能させることを特徴とするアプリケーション管理プログラム。
【手続補正５】
【補正対象書類名】明細書
【補正対象項目名】０００７
【補正方法】変更
【補正の内容】
【０００７】
・上記課題を解決するアプリケーション管理システムでは、現在地情報を取得する位置情報取得部、ダウンロード不要リスト及びダウンロード対象のアプリケーションの種類を保持する制御部と、出力部とを備えたユーザ端末と、前記ユーザ端末にインストールされ、ユーザに対して特典を提供するアプリケーションを記録するアプリケーション記憶部とを備える。そして、前記制御部が、前記位置情報取得部からユーザ端末の所在地を取得し、前記所在地から基準範囲内の店舗を特定し、前記店舗において提供されているアプリケーションを特定し、前記ユーザ端末に、ダウンロード対象のアプリケーションの種類に合うアプリケーションであって、ダウンロード不要リストに含まれないアプリケーションがインストールされていない場合には、前記アプリケーション記憶部に記憶された前記アプリケーションのインストールを促すメッセージを前記出力部に出力し、ダウンロード不要
が選択された場合に、前記アプリケーションをダウンロード不要リストに記録する。これにより、ユーザ端末の現在位置に基づいて、ユーザに対して特典を提供するアプリケーションを提供することができる。
【手続補正６】
【補正対象書類名】明細書
【補正対象項目名】０００８
【補正方法】変更
【補正の内容】
【０００８】
・上記アプリケーション管理システムにおいて、前記メッセージに対応して、ダウンロード指示が入力された場合、前記制御部が、前記アプリケーションを前記アプリケーション記憶部からダウンロードすることが好ましい。これにより、ユーザは、特典を享受できるアプリケーションを入手することができる。